(57)【要約】【課題】仰臥と横臥の両状態を考慮し、かつ容易に高さ調節を行うことができる枕を提供すること。【解決手段】枕１０は長方形の基盤１１と、上面に首用、後頭部用のクッション部材４０が固着され、基盤の中央部に回転可能に固着された第１の板状部材１２と、上面に側頭部用のクッション部材３０、３１が固着され、基盤の長辺の両端側にそれぞれ回転可能に固着された第２および第３の板状部材１３、１４と、第１の板状部材の角度を調節する第１の調節手段と、第２および第３の板状部材の角度をそれぞれ調節する第２および第３の調節手段とを備える。本発明によれば、単に高さの調節手段を操作するのみで枕の各部の高さを調節することができる。【選択図】      図１
2004147889.tif 000002
【特許請求の範囲】
【請求項１】
長方形の基盤と、
上面に首用および後頭部用のクッション部材がそれぞれ固着され、基盤の中央部に基盤の一方の辺を回転軸として回転可能に固着された第１の板状部材と、
上面に側頭部用のクッション部材が固着され、基盤の長辺の両端側にそれぞれ基盤の一方の辺を回転軸として回転可能に固着された第２および第３の板状部材と、
基盤と第１の板状部材とのなす角度を調節する第１の調節手段と、
基盤と第２および第３の板状部材とのなす角度をそれぞれ調節する第２および第３の調節手段と
を備えたことを特徴とする枕。
【請求項２】
前記第１の調節手段は、複数種類の細長い直方体からなり、必要に応じて直方体の一つのみあるいは複数種類の直方体を組み合わせて使用することにより高さ調節を行うことを特徴とする請求項１に記載の枕。
【請求項３】
更に、前記第１の調節手段を調整するための開閉可能な開口部を備えた枕カバーを備えたことを特徴とする請求項１に記載の枕。
【発明の詳細な説明】
【０００１】
【発明の属する技術分野】
本発明は枕に関し、特に仰臥と横臥の両状態において快適な睡眠を得ることができる枕に関するものである。
【０００２】
【従来の技術】
人は睡眠中頻繁に寝返りをうっており、仰臥（上向き）状態と横臥（横向き）状態とを繰り返している。そして、枕を使用する人ごとに仰臥状態と横臥状態のそれぞれで枕の最適な形状および高さが異なっているが、従来の単一構造の枕においては仰臥と横臥の両状態に対応できず、いびきや寝違いの原因となっていた。そこで、特に仰臥と横臥の両状態を考慮した枕として、例えば特開平１１−２５３２８７号公報に記載されている枕が提案されている。この枕においては、高さを調節するために、本体部分の下部に厚さ５ｍｍの板を必要枚数だけ貼る構造となっていた。
【０００３】
【発明が解決しようとする課題】
上記した従来の仰臥と横臥の両状態を考慮した枕においては、高さ調節を行うためには、調節用の板を必要枚数用意し、カバーを外して本体に板を貼り、カバーをかけるという作業が必要であり、調整作業が繁雑であり、調整用の板を紛失すると調整が出来ないという問題点があった。
本発明の目的は、前記のような従来技術の問題点を解決し、仰臥と横臥の両状態を考慮し、かつ使用する人に合わせて容易に高さ調節を行うことができる枕を提供することにある。
【０００４】
【課題を解決するための手段】
本発明の枕は、長方形の基盤と、上面に首用および後頭部用のクッション部材がそれぞれ固着され、基盤の中央部に基盤の一方の辺を回転軸として回転可能に固着された第１の板状部材と、上面に側頭部用のクッション部材が固着され、基盤の長辺の両端側にそれぞれ基盤の一方の辺を回転軸として回転可能に固着された第２および第３の板状部材と、基盤と第１の板状部材とのなす角度を調節する第１の調節手段と、基盤と第２および第３の板状部材とのなす角度をそれぞれ調節する第２および第３の調節手段とを備えたことを特徴とする。
【０００５】
本発明によれば、使用する人に合わせて仰臥と横臥の両状態にそれぞれ最適な形状および高さに調整可能であり、更に単に高さの調節手段を操作するのみで枕の各部の高さを調節することが可能である。
【０００６】
【発明の実施の形態】
以下、本発明の実施の形態を詳細に説明する。図１は、本発明の枕の構成を示す斜視図である。また、図３は、本発明の枕の正面図、側面図、底面図である。本発明の枕１０は大きく、基盤１１、中央板部材１２、左板部材１３、右板部材１４からなる。なお、枕の使用時には枕カバー８０によって枕全体を覆って使用する。
【０００７】
図９は枕カバーの構成を示す平面図である。枕カバー８０は布製の長方形の袋であり、一方の短辺に設けられたファスナー８１を開けて枕１０を出し入れする。また、中央部分にＬ字状に第２のファスナー８２が設けられており、このファスナー８２を開けることにより、枕カバーをしたままで、中央部分のクッション材の交換や高さ調節、枕内部に収納した装置等の操作や交換を行うことができる。
【０００８】
基盤１１は、中央部分をくりぬいた長方形の枠状であり、厚さ１０ミリ程度の木材により形成される。基盤の一方の長辺近傍の中央部には中央板部材１２の高さ調整部材（５０、６０）と嵌合する孔４２が設けられ、左右には左板部材１３、右板部材１４の高さ調整用金具２１が固着されている。基盤１１の他方の長辺近傍には、中央板部材１２、左板部材１３、右板部材１４をそれぞれ回動可能に固着する蝶番２０、４４が固着されている。
【０００９】
中央板部材１２は、長方形の板状であり、厚さ１０ミリ程度の木材により形成される。中央板部材１２は一辺を蝶番４４によって基盤１１に回動可能に固着されている。中央板部材１２の上面の前記固着された辺と対向する辺の近傍には、仰臥状態で使用する人の首の部分に当たる中央枕部材Ａ４０が固着され、その内側には仰臥状態で使用する人の後頭部に当たる中央枕部材Ｂ４１が固着されている。
【００１０】
左板部材１３、右板部材１４はそれぞれ長方形の板状であり、剛性を出すために厚さ１５ミリ程度の木材により形成される。左板部材１３、右板部材１４はそれぞれ一辺を蝶番２０によって基盤１１に回動可能に固着されている。左板部材１３、右板部材１４の上面の前記固着された辺と対向する辺側には、横臥状態で側頭部に当たる左枕部材３１、右枕部材３０がそれぞれ固着されている。
【００１１】
図２は、図３のＡ−Ａ断面を示す断面図である。基盤１１と左板部材１３は蝶番２０によって回動可能に固着されている。第２（第３）の高さ調節手段を構成する高さ調整用金具２１は、中央に貫通したネジ孔を備え、木ねじ２２、２３によって基盤１１に固着されている。上記ネジ孔に嵌合するボルト２４は、一端にネジ２５が嵌合するネジ孔を備え、他端にはマイナスドライバーが係合する溝が設けられている。
【００１２】
ネジ２５は、木ねじ２７、２８によって左板部材１３に固着されたプレート２６に設けられた孔を貫通してボルト２４に嵌合しており、ボルト２４と左板部材１３は回動可能に係合している。また、ボルト２４を回し過ぎて高さ調整用金具２１から脱落しないように、基盤１１と左板部材１３が可撓性のストッパー７５によって接続されている。
【００１３】
右枕部材３０は、内部に配置された右枕クッション材２９と布製のカバー（３０）からなる。クッション材２９は発泡ウレタン、発泡スチロールなどの発泡体やそば殻、プラスティックビーズ、綿などを袋に充填したものなどを使用可能であり、異なる材質からなる多層構造としてもよい。カバー（３０）には図示しないファスナーか、あるいは縁にひもを通した開口部が設けられており、内部のクッション材２９を交換可能に構成されている。
【００１４】
図４は、図３のＢ−Ｂ断面を示す断面図である。基盤１１と中央板部材１２は蝶番４４によって回動可能に固着されている。第１の高さ調節手段を構成する高さ調整部材Ａ５０は、後述するが、直方体の中央部分に突起および孔が設けられた構造であり、基盤の孔４２に調整部材Ａ５０の中央部の突起が嵌合している。
【００１５】
第１の高さ調節手段として第２、第３の高さ調整手段と異なる構成を採用したのは以下の理由による。まず、第２、第３の高さ調整手段は上部の板を一点で支持する構造であり、幅が広い中央板部材１２の中央部のみを支持すると、左右の端部に頭を乗せた場合には中央板部材１２が頭の重さによって変形し、安定感がなくなる。
【００１６】
また、高さ調節手段は基盤１１および上部板部材の厚さの範囲内に収納する必要があるが、そうすると第２、第３の高さ調整手段の構造では調節範囲が狭くなってしまい、所望の調節範囲が得られない。
そこで、本発明においては、中央板部材１２を線（面）で支持することにより剛性感が向上し、簡単な構造で大きな調節範囲が得られる構成として図５、６に示すような２種類の高さ調整部材を必要に応じて組み合わせて用いる構成を採用した。
【００１７】
中央枕部材Ａ４０、中央枕部材Ｂ４１は、それぞれ内部に配置された中央枕クッション材Ａ４５、中央枕クッション材Ｂ４３および布製のカバー（４０、４１）からなる。クッション材Ａ４５、Ｂ４３はそれぞれ発泡ウレタン、発泡スチロールなどの発泡体やそば殻、プラスティックビーズ、綿などを袋に充填したものなどを使用可能であり、異なる材質からなる多層構造としてもよい。
カバー（４０、４１）は側面が解放されており、内部のクッション材Ａ４５、Ｂ４３を交換可能に構成されている。使用者は自分に合った形状のクッション材Ａ４５、Ｂ４３を選択して挿入／交換する。
【００１８】
図５は、高さ調整部材Ａの構成を示す正面図、側面図、底面図である。高さ調整部材Ａ５０は、細長い直方体の中央部に突起５２、５３および孔５１を設けた構造となっている。直方体の長辺に垂直な断面（図５右）は長方形であり、この長方形の短辺は例えば１５ｍｍ、長辺は２０ｍｍである。中央部に設けられた孔５１は直径が例えば２０ｍｍ、深さ１０ｍｍであり、後述する高さ調整部材Ｂ６０の突起６１あるいは６２がちょうど嵌合するように構成されている。中央部に設けた突起５２および５３はそれぞれ直径が２０ｍｍであり、基盤１１の孔４２とちょうど嵌合するように構成されている。
【００１９】
図６は、高さ調整部材Ｂの構成を示す正面図、側面図、底面図である。高さ調整部材Ｂ６０は、細長い直方体の中央部に突起６１、６２を設けた構造となっている。直方体の長辺に垂直な断面（図６右）は長方形であり、この長方形の短辺は例えば５ｍｍ、長辺は１０ｍｍである。中央部に設けた突起６１および６２はそれぞれ直径が２０ｍｍであり、高さ調整部材Ａの孔５１とちょうど嵌合するように構成されている。
【００２０】
高さ調整部材Ａ５０、Ｂ６０の上面および側面には、調整すべき高さの表示５４、５５、６３、６４が印刷されている。左側の表示５４、６３は、高さ調整部材Ａ５０あるいはＢ６０単独で調整可能な高さを意味しており、部材を表示の印刷された面が上面となるように基盤１１の孔４２に嵌合させれば、高さ調整部材Ａ５０あるいはＢ６０の高さが表示された高さとなる。また、右側の表示５５、６４は、高さ調整部材Ａ５０およびＢ６０を組み合わせて調整可能な高さが表示されており、それぞれの部材の表示の印刷された面が上面となるように基盤１１の孔４２および高さ調整部材Ａの孔５１に嵌合させれば、高さ調整部材Ａ５０およびＢ６０を組み合わせた高さが表示された高さとなる。
【００２１】
図７は、本発明の高さ調整部材を使用した高さ調整例を示す説明図である。第１の高さ調整手段は、２種類の高さ調整部材５０、６０を必要に応じて組み合わせて用いることにより、例えば５ｍｍ間隔で０ｍｍから３０ｍｍまで７段階の調節が可能である。
図７（ａ）は５ｍｍにする場合の孔４２近傍の図３Ｂ−Ｂ断面を示しており、高さ調整部材Ｂ６０の突起６２を基盤１１の孔４２に嵌合させる。図７（ｆ）は３０ｍｍにする場合であり、高さ調整部材Ａの突起５３を基盤１１の孔４２に嵌合させ、更に高さ調整部材Ｂ６０の突起６１を高さ調整部材Ａの孔５１と嵌合させる。
【００２２】
図８は、本発明の高さ調整手段の他の実施例を示す断面図である。図２に示す第２、第３の高さ調節手段においては、高さを調節するためにマイナスドライバーあるいはそれに代わる細長い金属板等の器具が必要であるが、図８に示す実施例においては、器具を必要としない。
この実施例においては、ボルト２４の代わりに円盤状のダイヤル７１を備えたボルト７０を使用する。そして、高さを調節する場合には、手でダイヤル７１を回すことによりボルトを回転させる。このような構造とすることにより、器具を用いる必要がなくなる。また、枕全体を覆うカバーに高さ調整用の窓（開口部）を設けることにより、カバーを掛けたままで調整を行うことができる。
【００２３】
また、この実施例においては、基盤１１と左板部材１３の間にストッパーの代わりにバネ７６が装着されている。このバネ７６によって、ダイヤル７１を回し過ぎてボルト７０が高さ調整用金具２１から抜けても、ボルト７０は脱落せず、反対方向に回せば再びボルト７０が高さ調整用金具２１と嵌合する。なお、このためにボルト７０の先端は円錐形等に成形しておく。
【００２４】
以上、本発明の実施例を開示したが、本発明には下記のような変形例も考えられる。実施例においては、第１の高さ調節手段として２つの直方体部材５０、６０を使用する例を開示したが、この２つの直方体部材は使用しない場合もあり、その場合には別途保管しておく必要がある。そこで、枕の中の例えば基盤と板部材の双方をくり抜くなどして２つの高さ調節部材を保管するスペースを設ける。また、孔４２と同じ径の孔を設けて使用しない高さ調整部材の突起を当該孔に嵌合させておく。
また、実施例においては２種類の直方体を使用する例を開示したが、より多数の種類の直方体を使用すれば、調節単位をより細かくし、調節範囲をより広くすることが可能である。例えば２つの直方体の断面の寸法として４ｍｍ×８ｍｍ、１２ｍｍ×１６ｍｍとすることにより調節単位を４ｍｍにすることができ、１５ｍｍ×２０ｍｍの直方体を２つ使用すれば高さは４０ｍｍとなる。
【００２５】
中央板部材１２は高さを調節するためにある程度は開く必要がある。しかし、使用中に中央板部材１２をつかんで持ち上げた場合などに不本意に開くこと、枕を落としてしまうなどの恐れがある。そこで基盤１１と中央板部材１２のそれぞれにひもを取り付けておき、高さ調節後に当該ひも同士を結んで中央板部材１２が開かないようにしてもよい。このようにすれば、高さ調整部材５０、６０の脱落も防止できる。
【００２６】
実施例としては、基盤および板部材として木材を使用する例を開示したが、少なくとも一部の木材の種類として、人に好まれる香りを放つ木材を使用することにより、安眠あるいは癒し効果が得られる。また、金属、プラスティックなどの素材を使用してもよい。
枕カバーは枕全体を覆うものを１個使用する例を開示したが、それぞれの板部材を覆うカバーを３個使用してもよい。そのようにすれば、高さ調節が容易となる。
枕の中の例えば基盤と板部材の双方をくり抜くなどしてスペースを設け、このスペースに、ラジオ、目覚まし時計、オルゴール、香料袋など任意の装置、器具を取り付けてもよい。
【００２７】
【発明の効果】
以上述べたように、本発明によれば、使用する人に合わせて仰臥と横臥の両状態にそれぞれ最適な形状および高さに調整可能であり、更に単に高さの調節手段を操作するのみで枕の各部の高さを調節することが可能であるという効果がある。従って、自然な姿勢で睡眠でき、いびきや寝違い、肩こり、首のこりなどが予防されて安眠できる。
【図面の簡単な説明】
【図１】本発明の枕の構成を示す斜視図である。
【図２】図３のＡ−Ａ断面を示す断面図である。
【図３】本発明の枕の正面図、側面図、底面図である。
【図４】図３のＢ−Ｂ断面を示す断面図である。
【図５】高さ調整部材Ａの構成を示す正面図、側面図、底面図である。
【図６】高さ調整部材Ｂの構成を示す正面図、側面図、底面図である。
【図７】本発明の高さ調整部材を使用した高さ調整例を示す説明図である。
【図８】本発明の高さ調整手段の他の実施例を示す断面図である。
【図９】枕カバーの構成を示す平面図である。
【符号の説明】
１０…枕、１１…基盤、１２…中央板部材、１３…左板部材、１４…右板部材、２０…蝶番、２１…高さ調整用金具、２２、２３、２７、２８…木ねじ、２４…ボルト、２５…ネジ、２６…プレート、２９…クッション材、３０…右枕部材、３１…左枕部材、４０…中央枕部材Ａ、４１…中央枕部材Ｂ、４２…孔、４３…クッション材Ｂ、４４…蝶番、４５…クッション材Ａ
【図１】
2004147889.tif 000003
【図２】
2004147889.tif 000004
【図３】
2004147889.tif 000005
【図４】
2004147889.tif 000006
【図５】
2004147889.tif 000007
【図６】
2004147889.tif 000008
【図７】
2004147889.tif 000009
【図８】
2004147889.tif 000010
【図９】
2004147889.tif 000011